(57)【要約】      （修正有）【課題】屋根の上に容易に設置することができ、少ない費用で効果を発揮する融雪装置を提供する。【解決手段】難燃性の軽量フィルム１を２枚重ね、そのフィルムの間の左右の端および中間にケーブル２を配置して接着する。ケーブル２とケーブル２の中間には、ケーブル２と同方向に向かって、左右に多数の穴を有する数本の柔軟なパイプ３を配置し接着する。２枚のフィルム１の手前と反対側の端も接着しエアーバッグを形成する。このエアーバッグを前記ケーブル２により軒先等に固定する。この装置の手前の端には複数個の空気取り入れ口６を設け、送風管に接続する。また、反対側には空気の排出口７を複数個設ける。屋内叉は屋外に設置した暖風送風機から送風管を通じ暖かい空気をエアーバッグ内へ送り、バッグを暖め積もった雪を溶かし、冷えた空気を排出口７から放出する。【選択図】図１
2006233725.tif 000002
【特許請求の範囲】
【請求項１】
難燃性フィルム２枚を重ねて作った融雪エアーバッグへ暖かい空気を流し込んで、降って来た雪を溶かす装置。
【請求項２】
難燃性フィルム２枚を接着して作つたエアーバッグを屋根等に固定する際、ケーブルをフィルムとフィルムの間に接着してその先端を軒先等に固定し強風に耐えられるようにする固定法。
【請求項３】
難燃性フィルム２枚を重ねて接着しエアーバッグを作る際、２枚のフィルムの間に空気の通り道を確保するため、柔軟パイプに複数個の穴をパイプの両側に開けた物を複数個接着したり、星形、円形、長円形、三角、ハート形等の形をした柔らかい資材のパッドを適当な間隔で配置して接着する方法。
【発明の詳細な説明】
【発明の詳細な説明】
【技術分野】
【０００１】        本発明は、難燃性フィルム２枚の間にケーブル複数本と柔軟パイプ複数本叉は星形等の柔軟パッドを複数個挟んで接着し作成した薄いエアーバッグ状の物へ暖かい空気を送り込んで、降って来た雪を溶かす装置である。屋根の上に設置すると、降雪地帯においては、雪下ろしの必要がなくなる。夏期には外気を送風機でエアーバッグの中へ送り込むことによって、太陽熱を遮断し室内気温を下げることもできる。送り込まれた空気は排出口から放出する。本発明は通路の路面にも設置することができる。エアーバッグの上に硬質材料製の網目状カバーを被せてその上を歩行する。雪は網目状のカバーの間からエアーバッグ上に落ち、直ちに溶ける。エアーバッグを傾斜させて取り付け、雪が溶けた水を下水溝へ流す。
【背景技術】
【０００２】        従来の技術では、屋根の上に配管しお湯を循環させて雪を溶かす方法とか、ニクロム線を配してその熱で雪を溶かす方法というものがある。何れも工事代金が高く、水道代、電気代、ガス代も嵩むので難点がある。通路の場合はタイルの中に熱源を入れて暖める方法があるが、工事コストが高いのと電気代が嵩む等の理由であまり普及していない。屋根の上に積もる雪に関しては、手作業による雪下ろししか方法が無く、転落事故が多発している。日本の雪は水分を多量に含んでいるので、重量があり、雪の重さで倒壊する家屋も多数報告されている。
雪を地上へ投げ下ろすと、その後雪の処理が大変である。本発明のメリットは、雪を溶かして樋を伝わって下水溝へ流してしまうので、一切後処理がいらないことである。また、空気を融雪可能程度にあたためる電気代は安いので極めて経済的である。降雪センサーを使用すれば、雪が降っている間のみ暖風を送るように設定出来る。ガスヒーターやボイラーを使用している家庭や事務所では、その排出ガスの一部を取り込んで送風管で屋根上の融雪エアーバッグまで送れば、熱源はいらない。温泉地帯では、使用済みの温泉を活用すれば、費用はかからない。
【発明を実施するための最良の形態】
【００３】          本発明は、難燃性で軽量のフィルムを重ねてケーブル複数本と柔軟パイプ複数本叉は柔軟パッドを間に挟んで接着して作った融雪エアーバッグに屋内叉は屋外に設置した暖風発生装置から送風管で暖かい空気を送り込んで、降って来た雪を直ちに溶かし、樋を通じ下水溝へと流すものである。図面について説明すれば、難燃性フィルム１を２枚重ねケーブル２を左右の端と中央に縦に配しフィルムとフィルムの間に接着する。さらに、２枚重ねのフィルムの間に、左右と中央のケーブルの間に、柔軟パイプ３に穴を開け空気の流通を良くしたものを複数本配し接着する。歩道の上に設置するアーチ状屋根の場は歩道を明るく保つために透明のフィルムを使用する。その場合、穴の開いたパイプが見えたのでは美的では無いので、パイプの替わりに星形、円形、三角形、ハート形等の形をした柔軟パッドを多数適当な間隔で接着し、空気の通り道を確保する。フィルムの上下の両端４は２枚のフィルム同士を接着する。ケーブルの先端に設けられた丸い器具５はアイナットである。エアーバッグの一方の側には空気取り入れ口６を複数個設け、ソケットを取り付け暖風送風機から伸びて来る送風管１２の取り付け取り外しを簡單にする。エアーバッグ内へ入った暖かい空気は、空気排出口７から放出する。
【発明の効果】
【００４】          このエアーバッグを屋根の上にケーブルで固定すれば、強風に対して十分耐える。エアーバッグの固定はケーブルの先端に設けられたアイナットを、軒先きに取り付けたＵ字鋼等に接続することで堅固なものに出来る。融雪エアーバッグは四角形、長方形、三角形、円形等いろいろな形に作れるので、あらゆる形の屋根に設置することができる。屋根材も瓦屋根、トタン屋根、スレート屋根等材料の如何に関わらず取り付けできる。取り付けは簡單で、２人で３０分もあれば完了する。取り外しも同様である。融雪エアーバッグ内へ流す暖かい空気は、ヒーターと送風機を組み合わせたもので簡単な装置である。また、使用中のガスヒーターやボイラーの排出ガスの一部を送風機で融雪エアーバッグへ送れば、熱源は経費がかからない。温泉地帯では、温泉の廃水を活用すれば、費用はかからない。融雪エアーバッグのフィルムは紫外線カット加工されているので、屋根材を保護する効果もある。エアーバッグの別の用途としては、パイプをアーチ状にして組み立てた家庭用駐車場やパイプを片流れ屋根に組み立てた大型駐車場の屋根や側面、背面等の囲いとしても利用出来る。駐車場の背面を融雪エアーバッグで囲えば、駐車した車の排気口を雪で塞がれる事が無いので、乗車して暖気運転中の人を排気ガス中毒から守る事ができる。歩道橋の上にアーチ型のパイプを取り付け、その上に融雪エアーバッグを被せれば、歩行者の通行に便利である。構築コストも安上がりである。さらに、オフィス、ホテル、スタジアム、学校や家庭の地上通路に設置して、その上に網目状の硬質カバーを被せれば、降って来た雪は直ちに溶けるので、下水へ流す事もできる。通路上の雪掻きがいらなくなる。
【図面の簡単な説明】
【図１】      四角いエアーバッグの平面図である。
【図２】      柔軟パイプの左右に穴を開けたもの。穴は融雪エアーバッグ内の空気の流通を良くするため。柔軟パイプは２枚のフィルムが癒着しないように、フィルムとフィルムの間に挟んで接着する。
【図３】      凹凸のある瓦屋根に設置したエアーバッグの断面図である。瓦の窪みに台を載せて、その台を軒先にＵ字鋼等で固定し、その上にケーブルを載せて軒の頂上を渡して反対側の軒先きまで伸ばし固定する。このようにすれば、瓦屋根の凹凸に影響されずエアーバッグは平面を保つことができる。
【図４】      切り妻屋根に設置した融雪エアーバッグと地上に設置した暖風送風機とを送風管によって連結した状態を示す。融雪エアーバッグはケーブルの先端に設けられたアイナットで軒先きに固定されている。
【図５】      パイプを組み合わせて構築された片流れ屋根駐車場に融雪エアーバッグを天井と側面及び背面に取り付けた状態を示す。背面に融雪エアーバッグを張り付けることで駐車する車の排気口が雪で塞がれて廃棄ガス中毒が発生することを防ぐ。暖風送風機は寒気をさけるため駐車場内に設置した。送風管は暖風送風機から融雪エアーバッグの各面に繋がれている。
【図６】      パイプを彎曲させて組み立てられた骨組みに、融雪エアーバッグを張り付けるとこのような家庭用駐車場ができる。建築費が格安である。
【図７】      歩道の上にパイプをアーチ形に曲げて複数個縦に並べ組み立てた骨組みに融雪エアーバッグを被せて作った雪避け通路。難燃性透明フィルムを２枚重ねてその間に柔らかい星形のパッドを挟んで接着して空気の流通を容易にした。ハート形、花形等いろいろなデザインを楽しむ事ができる。透明フィルムなので光が入りやすく、明るい雰囲気をかもし出す。夜間はライトアップすると、素敵な空間が出来上がる。
【符号の説明】
１    融雪エアーバッグのフィルム
２    ケーブル
３    柔軟パイプ
４    エアーバッグ端のシール
５    アイナット
６    空気取り入れ口のソケット
７    空気排出口
８    柔軟パイプの穴
９    屋根瓦
１０    ケーブルをのせる台
１１    暖風送風機
１２    送風管
１３    星形の柔軟パッド
１４    パイプ
【図１】
2006233725.tif 000003
【図２】
2006233725.tif 000004
【図３】
2006233725.tif 000005
【図４】
2006233725.tif 000006
【図５】
2006233725.tif 000007
【図６】
2006233725.tif 000008
【図７】
2006233725.tif 000009